(57)【要約】【課題】本発明は、被験試料中のＤＮＡに取り込まれたトリフルリジンをより効率よく、迅速に検出することができる被験試料中のＤＮＡに取り込まれたトリフルリジンの検出剤および該検出剤を含むキット、被験試料中のＤＮＡに取り込まれたトリフルリジンを検出する方法並びに該検出剤を用いた抗悪性腫瘍剤の抗腫瘍効果の判定方法を提供することを目的とする。【解決手段】本発明は、以下の（ａ）または（ｂ）の抗体または抗体断片を含む、被験試料中のＤＮＡに取り込まれたトリフルリジンの検出剤に関する。（ａ）抗ＢｒｄＵ（５−ブロモ−２’−デオキシウリジン）モノクローナル抗体３Ｄ４（ｂ）（ａ）の単鎖抗体または抗体断片【選択図】なし【特許請求の範囲】
【請求項１】
以下の（ａ）または（ｂ）の抗体または抗体断片を含む、被験試料中のＤＮＡに取り込まれたトリフルリジンの検出剤。
（ａ）抗ＢｒｄＵ（５−ブロモ−２’−デオキシウリジン）モノクローナル抗体３Ｄ４
（ｂ）（ａ）の単鎖抗体または抗体断片
【請求項２】
被験試料ががん細胞を含む試料である請求項１に記載の検出剤。
【請求項３】
前記がん細胞が、結腸直腸癌、食道癌、胃癌、肺癌および乳癌から選ばれる少なくとも１の腫瘍由来である請求項１または２に記載の検出剤。
【請求項４】
被験試料中のＤＮＡに取り込まれたトリフルリジンを検出するためのキットであって、請求項１〜３のいずれか１項に記載の検出剤、および該検出剤と被験試料中のＤＮＡに取り込まれたトリフルリジンとの結合を検出するための少なくとも１種類の試薬を含むキット。
【請求項５】
以下の工程（１）および（２）を含む被験試料中のＤＮＡに取り込まれたトリフルリジンを検出する方法。
（１）以下の（ａ）または（ｂ）の抗体または抗体断片を含む、被験試料中のＤＮＡに取り込まれたトリフルリジンの検出剤と、被験試料とを接触させる工程
（ａ）抗ＢｒｄＵ（５−ブロモ−２’−デオキシウリジン）モノクローナル抗体３Ｄ４
（ｂ）（ａ）の単鎖抗体または抗体断片
（２）前記被験試料中のＤＮＡに取り込まれたトリフルリジンと前記検出剤との結合反応を指標として、前記被験試料中のＤＮＡに取り込まれたトリフルリジンを検出する工程
【請求項６】
被験試料ががん細胞を含む試料である請求項５に記載の方法。
【請求項７】
前記がん細胞が、結腸直腸癌、食道癌、胃癌、肺癌および乳癌から選ばれる少なくとも１の腫瘍由来である請求項５または６に記載の方法。
【請求項８】
以下の工程（１）〜（３）を含む、トリフルリジンまたはトリフルリジンを含む抗悪性腫瘍剤の抗腫瘍効果を判定する方法。
（１）以下の（ａ）または（ｂ）の抗体または抗体断片を含む、被験試料中のＤＮＡに取り込まれたトリフルリジンの検出剤と、被験試料とを接触させる工程
（ａ）抗ＢｒｄＵ（５−ブロモ−２’−デオキシウリジン）モノクローナル抗体３Ｄ４
（ｂ）（ａ）の単鎖抗体または抗体断片
（２）前記被験試料中のＤＮＡに取り込まれたトリフルリジンと前記検出剤との結合反応を指標として、前記被験試料中のＤＮＡに取り込まれたトリフルリジンを検出する工程
（３）工程（２）で得られた検出結果を指標としてトリフルリジンまたはトリフルリジンを含む抗悪性腫瘍剤の抗腫瘍効果を判定する判定工程
【請求項９】
ネオアジュバント療法において用いられる請求項８に記載の方法。
【請求項１０】
被験試料ががん細胞を含む試料である請求項８または９に記載の方法。
【請求項１１】
前記がん細胞が、結腸直腸癌、食道癌、胃癌、肺癌および乳癌から選ばれる少なくとも１の腫瘍由来である請求項８〜１０のいずれか１項に記載の方法。
【請求項１２】
前記被験試料が、トリフルリジンおよびトリフルリジンを含む抗悪性腫瘍剤を投与された哺乳動物由来の試料である請求項８〜１１のいずれか１項に記載の方法。
【請求項１３】
前記トリフルリジンを含む抗悪性腫瘍剤が、トリフルリジンとチピラシル塩酸塩を含有する抗悪性腫瘍剤である請求項８〜１２のいずれか１項に記載の方法。
【発明の詳細な説明】
【技術分野】
【０００１】
本発明は、被験試料中のＤＮＡに取り込まれたトリフルリジンの検出剤および該検出剤を含むキットに関する。更に被験試料中のＤＮＡに取り込まれたトリフルリジンを検出する方法およびトリフルリジンンまたはトリフルリジンを含む抗悪性腫瘍剤の抗腫瘍効果を判定する方法に関する。
【背景技術】
【０００２】
トリフルリジン（２’−デオキシ−５−トリフルオロメチルウリジン、以下「ＦＴＤ」ともいう）はチミジンホスホリラーゼ阻害剤であり、試験管内または動物実験において抗腫瘍効果を示すことが知られている。
【０００３】
近年、ＦＴＤとチピラシル塩酸塩（以下「ＴＰＩ」ともいう）を１：０．５のモル比で配合したＴＡＳ−１０２［ロンサーフ（登録商標）配合錠、大鵬薬品工業株式会社製］（特許文献１）の有効性が複数の臨床試験で証明され、治癒切除不能な進行または再発の結腸または直腸癌を適応とする抗悪性腫瘍剤として日本で製造販売が承認された。
【０００４】
したがって、ＦＴＤを含む抗悪性腫瘍剤はがん化学療法剤の新たな選択肢として実診療で用いられると同時に、新たな適応症として、術前・術後の補助療法、他の抗がん剤との併用療法、さらには他の癌種への適応が、基礎および臨床試験により検証されていくと想定される。
【０００５】
ＦＴＤの抗腫瘍効果または副作用の発現を早期に診断することが可能となれば、ＦＴＤまたはＦＴＤを含む抗悪性腫瘍剤の適正使用が促進され、また、新たな用途の検証試験が加速され、同剤の医療・産業上の価値が高くなると考えられる。
【０００６】
ＦＴＤの抗腫瘍効果および副作用の作用機序は、ＦＴＤがチミンと構造が類似しているためＤＮＡに間違って取り込まれることによって、がん細胞の分裂および／または増殖を抑制するという説が有力である。また、ＦＴＤによる代表的な副作用は骨髄抑制およびそれに基づく感染症であるが、ＦＴＤが骨髄細胞のＤＮＡに取り込まれることに起因すると考えられている。
【０００７】
ＤＮＡに取り込まれたＦＴＤを認識する抗体として、ＩＵ−４（非特許文献１）が報告されている。ＩＵ−４は、ＢｒｄＵまたはＩｏｄｏｄｅｏｘｙｕｒｉｄｉｎｅを特異的に認識するが、ＤＮＡに取り込まれたＦＴＤ（ＣＦ３ｄＵｒｄ）も認識することが開示されている。
【０００８】
一方、抗ＢｒｄＵ（５−ｂｒｏｍｏ−２’−ｄｅｏｘｙｕｒｉｄｉｎｅ）抗体は、５−ｂｒｏｍｏ−２’−ｄｅｏｘｙｕｒｉｄｉｎｅを特異的に認識し，５−ｉｏｄｏ−２’−ｄｅｏｘｙｕｒｉｄｉｎｅ（１０％）との交叉性を示す。一方、抗ＢｒｄＵ抗体は、５’−ｆｌｕｏｒｏ−２’−ｄｅｏｘｙ−ｕｒｉｄｉｎｅまたは他の内在性細胞成分（例えば、チミジンおよびウリジンなど）と交叉しない。
【先行技術文献】
【特許文献】
【０００９】
【特許文献１】国際公開第９６／３０３４６号
【非特許文献】
【００１０】
【非特許文献１】Ｃｙｔｏｍｅｔｒｙ、７（６）、４９９−５０７、１９８６
【発明の概要】
【発明が解決しようとする課題】
【００１１】
臨床サンプル等の被験試料中のＤＮＡに取り込まれたＦＴＤをより効率よく、迅速に検出することが可能になれば、ＦＴＤまたはＦＴＤを含む抗悪性腫瘍剤の抗腫瘍効果を判定する診断法に有用である。したがって、本発明は、被験試料中のＤＮＡに取り込まれたＦＴＤをより効率よく、迅速に検出することができる被験試料中のＤＮＡに取り込まれたＦＴＤの検出剤および該検出剤を含むキット、並びに該検出剤を用いた抗悪性腫瘍剤の抗腫瘍効果の判定方法を提供することを目的とする。
【課題を解決するための手段】
【００１２】
本発明者らは、被験試料中のＤＮＡに取り込まれたＦＴＤを検出できる抗体について鋭意研究を行ったところ、予想外にも、公知の抗ＢｒｄＵ抗体の中から、ＦＴＤに対して選択的、且つ、十分な親和性を持つ抗体を見出し、さらにＦＴＤをＤＮＡに取り込んだがん細胞を該抗体により検出できることを見出し、本発明を完成させた。
【００１３】
すなわち本発明の要旨は以下の通りである。
１．以下の（ａ）または（ｂ）の抗体または抗体断片を含む、被験試料中のＤＮＡに取り込まれたトリフルリジンの検出剤。
（ａ）抗ＢｒｄＵ（５−ブロモ−２’−デオキシウリジン）モノクローナル抗体３Ｄ４
（ｂ）（ａ）の単鎖抗体または抗体断片
２．被験試料ががん細胞を含む試料である前項１に記載の検出剤。
３．前記がん細胞が、結腸直腸癌、食道癌、胃癌、肺癌および乳癌から選ばれる少なくとも１の腫瘍由来である前項１または２に記載の検出剤。
４．被験試料中のＤＮＡに取り込まれたトリフルリジンを検出するためのキットであって、前項１〜３のいずれか１項に記載の検出剤、および該検出剤と被験試料中のＤＮＡに取り込まれたトリフルリジンとの結合を検出するための少なくとも１種類の試薬を含むキット。
５．以下の工程（１）および（２）を含む被験試料中のＤＮＡに取り込まれたトリフルリジンを検出する方法。
（１）以下の（ａ）または（ｂ）の抗体または抗体断片を含む、被験試料中のＤＮＡに取り込まれたトリフルリジンの検出剤と、被験試料とを接触させる工程
（ａ）抗ＢｒｄＵ（５−ブロモ−２’−デオキシウリジン）モノクローナル抗体３Ｄ４
（ｂ）（ａ）の単鎖抗体または抗体断片
（２）前記被験試料中のＤＮＡに取り込まれたトリフルリジンと前記検出剤との結合反応を指標として、前記被験試料中のＤＮＡに取り込まれたトリフルリジンを検出する工程
６．被験試料ががん細胞を含む試料である前項５に記載の方法。
７．前記がん細胞が、結腸直腸癌、食道癌、胃癌、肺癌および乳癌から選ばれる少なくとも１の腫瘍由来である前項５または６に記載の方法。
８．以下の工程（１）〜（３）を含む、トリフルリジンまたはトリフルリジンを含む抗悪性腫瘍剤の抗腫瘍効果を判定する方法。
（１）以下の（ａ）または（ｂ）の抗体または抗体断片を含む、被験試料中のＤＮＡに取り込まれたトリフルリジンの検出剤と、被験試料とを接触させる工程
（ａ）抗ＢｒｄＵ（５−ブロモ−２’−デオキシウリジン）モノクローナル抗体３Ｄ４
（ｂ）（ａ）の単鎖抗体または抗体断片
（２）前記被験試料中のＤＮＡに取り込まれたトリフルリジンと前記検出剤との結合反応を指標として、前記被験試料中のＤＮＡに取り込まれたトリフルリジンを検出する工程
（３）工程（２）で得られた検出結果を指標としてトリフルリジンまたはトリフルリジンを含む抗悪性腫瘍剤の抗腫瘍効果を判定する判定工程
９．ネオアジュバント療法において用いられる前項８に記載の方法。
１０．被験試料ががん細胞を含む試料である前項８または９に記載の方法。
１１．前記がん細胞が、結腸直腸癌、食道癌、胃癌、肺癌および乳癌から選ばれる少なくとも１の腫瘍由来である前項８〜１０のいずれか１項に記載の方法。
１２．前記被験試料が、トリフルリジンおよびトリフルリジンを含む抗悪性腫瘍剤を投与された哺乳動物由来の試料である前項８〜１１のいずれか１項に記載の方法。
１３．前記トリフルリジンを含む抗悪性腫瘍剤が、トリフルリジンとチピラシル塩酸塩を含有する抗悪性腫瘍剤である前項８〜１２のいずれか１項に記載の方法。
【発明の効果】
【００１４】
本発明の検出剤は、被験試料中のＤＮＡに取り込まれたＦＴＤを高い効率で、迅速に検出することができ、ＦＴＤを化学的に共有結合した牛血清アルブミン蛋白、およびＦＴＤを試験管内で処置したがん細胞から抽出したＤＮＡを高感度で認識することができる。
【００１５】
また、本発明の検出剤は、細胞レベルではＦＴＤを試験管内で処置したがん細胞の免疫蛍光染色に応用可能である（例えば、ＦＡＣＳおよびＩＦ）。さらに、ＦＴＤまたはＦＴＤを含む抗悪性腫瘍剤を投与された哺乳動物から摘出し、パラフィン包埋したがん組織において、ＦＴＤを取り込んだ細胞の免疫組織染色に応用することができる。
【００１６】
また、本発明の検出剤によれば、患者がＦＴＤまたはＦＴＤを含む抗悪性腫瘍剤による治療を継続する方がよいか否かを決定することが可能となる。このことにより、患者は、不要な抗悪性腫瘍剤による治療を受ける必要性が軽減される。
【図面の簡単な説明】
【００１７】
【図１】図１は、抗ＢｒｄＵ抗体（クローン３Ｄ４）を用いた免疫組織染色の結果を示す。（試験例２）
【図２】図２は、抗ＢｒｄＵ抗体（クローン３Ｄ４）を用いた免疫組織染色の結果を示す。（試験例３）
【発明を実施するための形態】
【００１８】
本発明の検出剤は、被験試料中のＤＮＡに取り込まれたＦＴＤを検出する検出剤であり、以下の（ａ）または（ｂ）の抗体を含む。
（ａ）抗ＢｒｄＵ（５−ブロモ−２’−デオキシウリジン）モノクローナル抗体３Ｄ４
（ｂ）（ａ）の単鎖抗体または抗体断片
【００１９】
抗ＢｒｄＵモノクローナル抗体３Ｄ４は、マウスモノクローナル抗体である。なお、抗ＢｒｄＵモノクローナル抗体３Ｄ４と同等の機能を有する、抗ＢｒｄＵモノクローナル抗体３Ｄ４の改変体または誘導体も抗ＢｒｄＵモノクローナル抗体３Ｄ４に含まれるものとする。
【００２０】
抗ＢｒｄＵモノクローナル抗体３Ｄ４（以下、「クローン３Ｄ４」ともいう）としては、市販されているものを用いることもでき、例えば、クローン番号３Ｄ４（ＢＤ  Ｂｉｏｓｃｉｅｎｃｅｓ社製、カタログ番号５５５６２７）が挙げられる。
【００２１】
単鎖抗体とは、抗原結合部位を構成する２つの可変領域断片ＶＨ（重鎖可変領域）およびＶＬ（軽鎖可変領域）を柔軟なリンカーで結んで作製した組換え抗体断片である（米国特許第４，９４６，７７８号）。
【００２２】
抗体断片としては、例えば、抗体分子をモノクローナル抗体３Ｄ４のペプシン消化により生成することができるＦ（ａｂ’）２断片、Ｆ（ａｂ’）２断片のジスルフィド架橋を還元することにより生成することができるＦａｂ’断片、および抗体分子をパパインおよび還元剤で処理することにより生成することができるＦａｂ’断片が挙げられる。
【００２３】
被験試料は動物細胞由来の試料であることが好ましく、哺乳動物細胞由来であることがより好ましい。哺乳動物としては、ヒト、マウス、ラット、ウマ、ウシ、ヤギ、ヒツジ、ハムスターおよびイヌ等が挙げられ、ヒトおよびマウスが好ましく、ヒトがより好ましい。被験試料としては、例えば、被験体から採取した組織の可溶化液から抽出したＤＮＡ、細胞診材料（例えば、塗抹標本等）、組織標本等が挙げられる。
【００２４】
被験試料は、がん細胞を含む試料であることが好ましい。被験試料中にがん細胞が含まれていると、本発明の検出剤と被験試料中のＤＮＡに取り込まれたＦＴＤとの結合を検出することにより、ＦＴＤをＤＮＡに取り込んだがん細胞を検出することができる。
【００２５】
がん細胞は、悪性腫瘍由来であることが好ましい。悪性腫瘍とは、例えば、がん患者の生体組織において、個体としての調和を破り、増殖の制御機構に異常を来している組織の腫瘍である。悪性腫瘍としては特に制限はされないが、例えば、上皮性癌（例えば、呼吸器系癌、消化器系癌、生殖器系癌および分泌系癌等が挙げられる。）、肉腫、造血細胞系腫瘍、中枢神経系腫瘍および末梢神経腫瘍等が挙げられる。
【００２６】
また、悪性腫瘍の発生臓器の種類も特に制限はされないが、例えば、結腸直腸癌、頭頚部癌、食道癌、胃癌、肝臓癌、胆嚢・胆管癌、胆道癌、膵臓癌、肺癌、乳癌、卵巣癌、子宮頚癌、子宮体癌、腎癌、膀胱癌、前立腺癌、精巣腫瘍、骨・軟部肉腫、血液癌、多発性骨髄腫、皮膚癌、脳腫瘍および中皮腫等が挙げられ、好ましくは結腸直腸癌、食道癌、胃癌、肺癌および乳癌である。
【００２７】
本発明の検出剤は、被験試料中のＤＮＡに取り込まれたＦＴＤの検出に関して、公知の方法、例えば、ウェスタンブロッティング、ＥＬＩＳＡ、放射性免疫アッセイ、免疫蛍光アッセイ、免疫組織化学的アッセイ、および同様のものにおいて用いることができる。
【００２８】
本発明のキットは、被験試料中のＤＮＡに取り込まれたＦＴＤを検出するためのキットであって、本発明の検出剤、および該検出剤と被験試料中のＤＮＡに取り込まれたＦＴＤとの結合を検出するための少なくとも１種類の試薬を含む。
【００２９】
前記試薬としては、例えば、ＤＮＡ抽出液およびメンブラン等が挙げられる。本発明のキットは、さらに使用のための説明書、周知の試薬および希釈剤を含んでもよい。また、本発明のキットは、二次抗体を含んでもよく、該二次抗体は標識することができ、固体支持体に付着させてもよい。該二次抗体はポリクローナル抗体またはモノクローナル抗体であってもよい。
【００３０】
本発明の被験試料中のＤＮＡに取り込まれたＦＴＤを検出する方法は、以下の工程（１）および（２）を含む。
（１）以下の（ａ）または（ｂ）の抗体または抗体断片を含む、被験試料中のＤＮＡに取り込まれたＦＴＤの検出剤と、被験試料とを接触させる工程
（ａ）抗ＢｒｄＵ（５−ブロモ−２’−デオキシウリジン）モノクローナル抗体３Ｄ４
（ｂ）（ａ）の単鎖抗体または抗体断片
（２）前記被験試料中のＤＮＡに取り込まれたＦＴＤと該検出剤との結合反応を指標として、前記被験試料中のＤＮＡに取り込まれたＦＴＤを検出する工程
以下、各工程について説明する。
【００３１】
（１）本発明の検出剤と被験試料とを接触させる工程
本発明の検出剤と被験試料とを接触させる方法としては、具体的には、例えば、以下の（ｉ）〜（ｉｉｉ）が挙げられる。
（ｉ）被験試料が被験体から採取した組織の可溶化液から抽出したＤＮＡである場合、例えば、該ＤＮＡをアルカリ変性後、メンブレン上にスポットした後に、本発明の検出剤と接触させる。
（ｉｉ）被験試料が細胞診材料である場合、被験体から採取した細胞をスライドガラスに直接塗抹するか、または生理食塩水などの等張溶液にて洗浄し、例えば、遠心分離して細胞沈渣を作成後、スライドガラスに塗抹後、有機溶媒（例えば、エタノール等）水溶液または有機溶媒を含む固定剤にて湿固定して細胞診標本を作製し、本発明の検出剤と接触させる。
（ｉｉｉ）被験試料が組織標本である場合、押捺標本または切除材料凍結組織については、エタノールまたはホルマリン溶液などで固定して組織標本を作製し、本発明の検出剤と接触させる。針生検または切除材料については、ホルマリン固定を行い、公知の方法により、組織標本を作製し、本発明の検出剤と接触させる。
【００３２】
本発明の検出剤と被験試料とを接触させる条件は、検出剤に含まれる抗体または抗体断片と被験試料中のＤＮＡに取り込まれたＦＴＤとの結合反応が損なわれない条件であれば特に制限されず、通常の免疫反応における条件が採用される。好ましくは０〜１００℃、より好ましくは２〜５０℃の温度条件下で、反応時間は好ましくは０．５〜７２時間、より好ましくは１〜４８時間とし、放置またはインキュベーションする方法が挙げられる。
【００３３】
また、結合反応に使用する溶媒およびそのｐＨも前記反応に悪影響を与えないものであれば特に制限されず、常法にしたがってまたはそれに準じて、ｐＨが５〜９程度になるように、緩衝液（例えば、クエン酸緩衝液、リン酸緩衝液、トリス塩緩衝液および酢酸緩衝液等）を用いることもできる。
【００３４】
なお、工程（１）は、本発明の検出剤を固定化（固相化）した状態（固体の担体に結合させた状態）で行うことができる。当該固定化には、本発明の検出剤が固体の担体に脱着可能な状態で結合している場合と、脱着不可能な状態で結合している場合の両方が含まれる。
【００３５】
固定化方法としては、特に制限はなく、各種固体担体に応じて、物理的結合および化学的結合のいずれをも使用できる。具体的には、例えば、共有結合法としてジアゾ法、ペプチド法（例えば、酸アミド誘導体法、カルボキシルクロライド樹脂法、カルボジイミド樹脂法、無水マレイン酸誘導体法、イソシアナート誘導体法、臭化シアン活性化多糖体法、セルロースカルボナート誘導体法および縮合試薬を使用する方法等）、アルキル化法、架橋試薬による担体結合法（例えば、架橋試薬としてグルタールアルデヒドおよびヘキサメチレンイソシアナート等を用いるもの）、Ｕｇｉ反応による担体結合法等の化学的反応、オン交換樹脂のような担体を用いるイオン結合法、ガラスビーズ等の多孔性ガラスを担体として用いる物理的吸着法等が挙げられる。
【００３６】
（２）前記被験試料中のＤＮＡに取り込まれたＦＴＤと該検出剤との結合反応を指標として、前記被験試料中のＤＮＡに取り込まれたＦＴＤを検出する工程
工程（２）は、本発明の検出剤に含まれる抗体または抗体断片と被験試料中のＤＮＡに取り込まれたＦＴＤとの結合反応で得られる免疫複合体（抗原抗体結合物）を検出する工程である。
【００３７】
本発明の検出剤に含有される抗体または抗体断片は、任意の標識物質で標識した状態で使用することができる。ここで標識物質としては、例えば、西洋わさびペルオキシダーゼ（ＨＲＰ）またはアルカリフォスファターゼ等の酵素；フルオレセインイソシアネートまたはローダミンなどの蛍光物質；３２Ｐまたは１２５Ｉ等の放射性物質；金コロイド若しくは白色コロイド等の金属コロイド、赤色若しくは青色などの顔料で着色されたポリスチレンラテックスなどの合成ラテックスまたは天然ゴムラテックス等のラテックスなどの発色物質（呈色物質）；化学発光物質などが挙げられる。これらの標識物質による抗体または抗体断片の標識は、各種標識物質に応じて定法に従って行うことができる。
【００３８】
前記免疫複合体（抗原抗体結合物）の検出方法およびその条件は、特に制限されることなく、通常の免疫測定法で用いられるものと同じか若しくはそれに準じた方法および条件を採用することができる。具体的には、検出剤に含まれる抗体または抗体断片の標識に使用した標識物質の種類に応じて、例えば放射性同位元素免疫測定法（ＲＩＡ法）、ＥＬＩＳＡ法、蛍光抗体法、プラーク法、スポット法、凝集法およびオクタロニー法（Ｏｕｃｈｔｅｒｌｏｎｙ）等の、一般の免疫化学的測定法において使用される種々の方法を利用することができる（例えば、「ハイブリドーマ法とモノクローナル抗体」、株式会社Ｒ＆Ｄプランニング発行、第３０−５３頁、昭和５７年３月５日発行など参照）。
【００３９】
本発明のＦＴＤまたはＦＴＤを含む抗悪性腫瘍剤の抗腫瘍効果を判定する方法は、以下の工程（１）〜（３）を含む。
（１）本発明の検出剤と被験試料とを接触させる工程
（２）前記被験試料中のＤＮＡに取り込まれたＦＴＤと該検出剤との結合反応を指標として、前記被験試料中のＤＮＡに取り込まれたＦＴＤを検出する工程
（３）工程（２）で得られた検出結果を指標としてＦＴＤまたはＦＴＤを含む抗悪性腫瘍剤の抗腫瘍効果を判定する判定工程
【００４０】
工程（１）および（２）については「被験試料中のＤＮＡに取り込まれたＦＴＤを検出する方法」で説明した工程（１）および（２）と同様であり、被験試料を癌に罹患した患者の被験試料として、抗悪性腫瘍剤投与前の被験試料および抗悪性腫瘍剤投与後の被験試料を対象とすることができる。
【００４１】
ＦＴＤを含む抗悪性腫瘍剤は、ＦＴＤおよびＴＰＩを含有することが好ましい。ＦＴＤを含む抗悪性腫瘍剤におけるＦＴＤとＴＰＩとの配合量の比（モル比）は、５００：１〜１：１０であることが好ましく、１０：１〜１：５であることがより好ましい。ＦＴＤを含む抗悪性腫瘍剤としては、例えば、大鵬薬品工業社製ロンサーフ（登録商標）配合錠が挙げられる。ＦＴＤを含む抗悪性腫瘍剤は、悪性腫瘍に対する作用が認められる承認または非承認の薬が含まれる。
【００４２】
工程（２）の結果、ＦＴＤまたはＦＴＤを含む抗悪性腫瘍剤投与前の被験試料にＤＮＡに取り込まれたＦＴＤが検出されず、且つＦＴＤまたはＦＴＤを含む抗悪性腫瘍剤投与後の被験試料にはＤＮＡに取り込まれたＦＴＤが検出された場合には、ＦＴＤまたはＦＴＤを含む抗悪性腫瘍剤による抗腫瘍効果がある可能性が示唆されると判定することができる。また、工程（２）の結果を予め用意したコントロールと比較して、検出された被験試料にＤＮＡに取り込まれたＦＴＤ量を段階的に評価し、判定に用いてもよい。
【００４３】
これに対して、ＦＴＤまたはＦＴＤを含む抗悪性腫瘍剤投与前の被験試料にＤＮＡに取り込まれたＦＴＤが検出されず、且つＦＴＤまたはＦＴＤを含む抗悪性腫瘍剤投与後の被験試料にはＤＮＡに取り込まれたＦＴＤが検出されないか該ＦＴＤ量が低い場合は、ＦＴＤまたはＦＴＤを含む抗悪性腫瘍剤について対象とする被験体に対して抗腫瘍効果がない可能性が高いと判定し、医療従事者に対してＦＴＤまたはＦＴＤを含む抗悪性腫瘍剤の使用を中止し、他の治療に切り替えるという治療の選択を与えることができる。
【００４４】
本発明のＦＴＤまたはＦＴＤを含む抗悪性腫瘍剤の抗腫瘍効果を判定する方法は、ネオアジュバント療法に用いることが好ましい。ネオアジュバント療法とは、術前に抗悪性腫瘍剤による治療を行う療法である。被験体におけるＦＴＤまたはＦＴＤを含む抗悪性腫瘍剤の抗腫瘍効果は、ネオアジュバント療法の前および後に評価することができる。
【００４５】
また、本発明の判定方法を用いて、被験体をネオアジュバント療法で治療する際に、治療前に、インビトロにてＦＴＤまたはＦＴＤを含む抗悪性腫瘍剤の抗腫瘍効果を判定することができる。このことにより、予めＦＴＤまたはＦＴＤを含む抗悪性腫瘍剤の抗腫瘍効果が低い被験体は、ネオアジュバント療法を受けない方がよいと判断することができる。これに対して、ＦＴＤまたはＦＴＤを含む抗悪性腫瘍剤の抗腫瘍効果が高い患者は、ＦＴＤまたはＦＴＤを含む抗悪性腫瘍剤を投与する方が良いと判断することができる。
【実施例】
【００４６】
以下の試験例により本発明をさらに詳細に説明するが、本発明はこれらにより限定されるものではない。
【００４７】
試験例１
市販の抗ＢｒｄＵ抗体（７種類）を入手し、ＦＴＤ結合ＢＳＡ、および、ＦＴＤを取り込んだがん細胞の染色体ＤＮＡへの結合親和性を以下（１）〜（３）の方法で比較および評価した。
【００４８】
１）ＦＴＤを共有結合したＢＳＡ（ＦＴＤ−ＢＳＡ）への結合性をドットブロット法で評価した。すなわち、ＦＴＤ−ＢＳＡ（１００ｎｇ−１０ｐｇ／２μＬ）をニトロセルロース膜上にスポットし、定法に従って処置した。希釈した抗ＢｒｄＵ抗体を反応させ、結合した抗体量を化学発光量として測定した。
【００４９】
２）ＦＴＤ（５μＭ）の存在下で４時間培養したヒト大腸がん株ＨＣＴ−１１６細胞から精製した染色体ＤＮＡをアルカリ変性後、Ｈｙｂｏｕｎｄ−Ｎ  ｂｌｏｔｔｉｎｇ  ｍｅｍｂｒａｎｅにスポットし、定法に従って処置した。希釈した抗ＢｒｄＵ抗体を反応させ、結合した抗体量を化学発光量として測定した。
【００５０】
３）ＦＴＤ（５μＭ）の存在下で適時培養したＨＣＴ−１１６細胞をエタノール固定し、定法に従って変性させた後、希釈した抗ＢｒｄＵ抗体と反応させた。更に、二次抗体と反応後ＦＡＣＳ解析、または、二次抗体とＤＡＰＩと反応させた後、免疫蛍光（ＩＦ）イメージングを行った。
【００５１】
７種類の抗ＢｒｄＵ抗体について、ＦＴＤ−ＢＳＡおよびＦＴＤを取り込んだがん細胞染色体ＤＮＡへの結合親和性、さらには、試験管内でＦＴＤを処理したＨＣＴ−１１６細胞のＦＡＣＳ解析およびＩＦイメージングを行い、表１に示す評価基準で評価した。結果を表２に示す。
【００５２】
表２において、「ＦＴＤ−ＢＳＡ」とはＢＳＡと結合したＦＴＤを意味し、「ＦＴＤ  ｉｎ  ＤＮＡ」とはＤＮＡに取り込まれたＦＴＤを意味し、「−」は未評価であることを示す。
【００５３】
【表１】
2017072507.tif 000002
【００５４】
【表２】
2017072507.tif 000003
【００５５】
表２に示すように、Ｂｕ２０ａはＦＴＤとの交差反応性を示すものの、ＦＴＤと生体成分との結合様式または実験方法により検出力は大きく変動した。また、ＢＵ−３３、ＢＵ１／７５、Ｂ４４、Ｍｏｂｕ１及びＢＵ−１のＦＴＤ交差反応性は極めて弱いか、または認められなかった。
【００５６】
すなわち驚くべきことに、抗ＢｒｄＵ抗体（クローン３Ｄ４）のみが、ＢｒｄＵとＦＴＤに対して同等の親和性で結合し、完全な交差反応性を有することが見出された。
【００５７】
試験例２
ヒト大腸がん株ＨＣＴ−１１６を皮下移植したヌードマウスに、生理食塩水に溶解したＦＴＤ５０ｍｇ／ｋｇを腹腔内投与（ｉ．ｐ．）した。２４時間後がん組織を摘出し、ホルマリン固定後パラフィン包埋し、定法に従って抗ＢｒｄＵ抗体（クローン３Ｄ４）を用いた免疫組織染色を行った。結果を図１に示す。
【００５８】
図１に示すように、ＦＴＤ投与群では、抗ＢｒｄＵ抗体（クローン３Ｄ４）により、がん組織ではＦＴＤ陽性がん細胞を検出することが可能であった。一方、ＦＴＤ未投与群では、ＦＴＤ陽性細胞は認めらなかった。
【００５９】
試験例３
ヒト大腸がん株ＨＣＴ−１１６を移植したヌードマウスに、０．５％ＨＰＭＣに懸濁したＴＡＳ−１０２［ロンサーフ（登録商標）、大鵬薬品工業株式会社製］１５０ｍｇ／ｋｇ，ｉ．ｂ．ｄ．を１週間経口投与（ｐ．ｏ．）した。最終投与の２４時間後、がん組織を摘出し、ホルマリン固定後パラフィン包埋し、定法に従って抗ＢｒｄＵ抗体（クローン３Ｄ４）を用いた免疫組織染色を行った。図２に結果を示す。
【００６０】
図２に示すように、抗ＢｒｄＵ抗体（クローン３Ｄ４）により、がん組織ではＦＴＤ陽性がん細胞が検出することが可能であった。一方、ＴＡＳ−１０２未投与群では、ＦＴＤ陽性細胞は認めらなかった。
【００６１】
以上の結果より、本発明の検出剤によれば、ＦＴＤまたはＦＴＤを含む抗悪性腫瘍剤を投与されたがん患者の腫瘍組織へのＦＴＤの取り込みの有無を組織学的に簡便に検出することが可能になり、同剤の抗腫瘍効果の判定または診断に供する臨床検体検査キット等が作製できることがわかった。
【図１】
2017072507.tif 000004
【図２】
2017072507.tif 000005